(57)【要約】横編機でストリップからステッチの異なる部分が編成される繊維製品の編成方法は、前記ステッチの異なる部分とは区別され、前記ステッチの異なる部分に交差する第２の部分（Ａ，Ｂ）に応じた弾性糸の挿入と組み合わせて、前記部分（ａ，ｂ，ｃ，α）に応じた異なるステッチの編成が行われることを特徴とする。その結果、優れた補強及び快適性をもたらす、アンダーワイヤのないシームレス・ブラを製造することが可能である。
2006519937.tif 000002
【特許請求の範囲】
【請求項１】
ステッチ・サイズの異なる部分が編成されるストリップから、横編み機でブラジャーを編成する方法において、
前記ステッチ・サイズの異なる部分とは区別され、前記ステッチ・サイズの異なる部分と交差する第２の部分（Ａ，Ｂ）での弾性糸の挿入と組み合わせて、前記異なる部分（ａ，ｂ，ｃ，α）に異なるステッチ・サイズの編成が行われることを特徴とする方法。
【請求項２】
レースが編成されることを特徴とする請求項１に記載の方法。
【請求項３】
前記編成はジャカードラッシェル編機で行われることを特徴とする請求項１又は２に記載の方法。
【請求項４】
様々な前記部分（Ａ，Ｂ）は、異なる量及び異なる性質のエラステーン（ｅｌａｓｔａｎｅ）糸で編成されることを特徴とする請求項１乃至３の何れか１つに記載の方法。
【請求項５】
異なる弾性糸が挿入される前記部分（Ａ，Ｂ）は、縦糸に平行な長方形部分であることを特徴とする請求項１乃至５の何れか１つに記載の方法。
【請求項６】
複数の連続するブラジャーは、同一のフラット・ストリップ（１）に縦糸の方向に沿って編成されることを特徴とする請求項１乃至５の何れか１つに記載の方法。
【請求項７】
複数の連続する平行セグメント（２）が編成され、各セグメントは複数の組み合わせられたブランクを含むことを特徴とする請求項６に記載の方法。
【請求項８】
継目のない部品にステッチ・サイズの異なる部品と弾性糸が挿入された部品とを備える編成されたブラジャーにおいて、
ステッチ・サイズの異なる部分（ａ，ｂ，ｃ，α）と弾性糸が挿入された部分（Ａ，Ｂ）との交差部分を含むことを特徴とする編成されたブラジャー。
【請求項９】
カップ領域（４）に高い不透明性を有し、更に高い不透明さを有する縁で囲まれた三角形の部分を形成する、ステッチ・サイズの異なる部分（ａ，ｂ，ｃ，α）と交差する、弾性が異なる２つの横方向部分（Ａ，Ｂ）を備えることを特徴とする請求項９に記載のブラジャー。
【請求項１０】
特定の横方向部分（Ａ，Ｂ）内のカップ領域（５）の不透明さと、隣接する背景領域（６）の不透明さとは、カップが成形された後に両部分での最終的に生じる不透明さが同一、又は同様になるべく選定されることを特徴とする請求項９に記載のブラジャー。
【発明の詳細な説明】
【技術分野】
【０００１】
本発明は、編成により弾性が異なる部分を有するように設計される、特にはブラジャー、バンド・ブラジャー、ボクサー・ブリーフ、ブリーフ、フレンチ・ニッカー又はガードルである編成された繊維下着製品に関する。
【背景技術】
【０００２】
本出願人による文献、特許文献１、特許文献２及び特許文献３は、異なる引き締め部分によってステッチの編成を変えることにより、製品内に異なる引き締め部分を作りながら円形編機で繊維下着製品を編成する方法を記載している。この方法では、異なる引き締め力を与える弾性の異なる部分が得られ、これらの工程によって得られる製品には特に、引き締めによる高精度な技術力を必要としないタイツ、フレンチ・ニッカー及びブラトップがある。
【０００３】
他に、乳房を保持し、包み、サポートし、成型し、補正しかつ持ち上げるべく精巧に機能することが重要であるブラジャーのような製品がある。
【０００４】
これら複数の機能を実行するために、ブラジャーは通常、様々な性質及び特性を有する繊維部品を製造して組み立てることにより得られる。時には、アンダーワイヤ、挿入部材、接着層等の補強部品を追加する必要がある。様々な部品の組立工程には費用がかかり、継目は美観及び快適性を損なう場合がある。従って、シームレス・ブラの開発に対する強い動機付けがある。
【０００５】
例えば、特許文献４、特許文献５、特許文献６及び特許文献７には、熱成形されたカップを有するブラジャーの製造方法を記載している。しかしながら、これらの技術によって得られるサポートは、所望されるものより劣る。
【０００６】
特許文献８には、特に異なるステッチ・サイズにより伸張性の異なる部分を有する弾性編物を記載しており、横編み機を使用して、例えば胸部アンダーワイヤ及び肩紐用に強力な引き締めを有する編成部分と、各カップの下部用の中程度の引き締めを有する部分と、各カップの上部及び両カップ間の部位用の弱い引き締めを有する部分との引き締めが異なる３つの部分を備える膝用シームレス・サポータ又はシームレス・ブラを製造することができる。
【０００７】
この方法はシームレス・ブラを製造する効果的な手段であるが、異なる部分の特性を調整する可能性は依然としてかなり制限されており、優雅であり良好に保持されるシルエットをもたらすブラジャーを得ることは不可能であることが判明している。
【特許文献１】仏国特許発明第２７５１６６８号明細書
【特許文献２】仏国特許発明第２７８３５３２号明細書
【特許文献３】仏国特許発明第２８１９８２７号明細書
【特許文献４】米国特許第３９８１３１９号明細書
【特許文献５】米国特許第４４３２３６４号明細書
【特許文献６】米国特許第５８５５１２４号明細書
【特許文献７】米国特許第５１５４６５９号明細書
【特許文献８】仏国特許発明第２７８１８１６号明細書
【発明の開示】
【発明が解決しようとする課題】
【０００８】
本発明の目的は、従来の横編みの工程を改良して着心地が良く効率的にシルエットを保持する編物製品を得ることにある。
【０００９】
本発明の目的は、ステッチ・サイズの異なる部分が編成されるストリップから、横編み機で繊維製品を編成する方法において、前記ステッチ・サイズの異なる部分とは区別し、前記ステッチ・サイズの異なる部分と交差する第２の部分での弾性糸の挿入と組み合わせて、異なる部分に異なるステッチ・サイズの編成が行われることを特徴とする方法を使用することによって達成される。ステッチ・サイズの異なる部分と弾性糸が挿入される部分とのこの交差に起因して（部分に依存して量又は性質は異なる）、異なる特性を有する更に多数の領域が得られ、こうして極めて精密な仕様を満足させる繊維製品の製造が可能になる。
【課題を解決するための手段】
【００１０】
本発明に係る方法は、効果的には、特にジャカードラッシェル編機又はＫａｒｌ  Ｍａｙｅｒ社が市販している「Ｔｅｘｔｒｏｎｉｃ」（登録商標）レースを製造するためのマルチバーである横編み機でレースを製造する方法である。これらの編機はコンピュータ管理の編成プログラムを使用し、よって様々な製品を製造可能である。
【００１１】
本発明に準拠した複数の交差部分を有するレースの使用は、単片の柔軟性があり軽量な繊維材料に、それが使用される完成品に必要な機能条件を組み合わせる１つの手段である。
【００１２】
挿入される弾性糸は、異なる挿入部分で変えてもよく、かつ完成品のニーズを考慮してもよい。好適な糸はエラステーン（ｅｌａｓｔａｎｅ）糸、特には例えば番手４７０ｄｔｅｘのＬｙｃｒａ（登録商標）である。
【００１３】
異なる弾性糸が挿入される部分は、効果的には縦糸と平行な長方形部分であってもよく、その上、異なる編成部分は、製品及び所要のサポート機能に応じて正確に様々な輪郭を有し、よって縦糸方向及び横糸方向沿いに延びる。
【００１４】
明らかに、複数の連続する製品が縦糸方向に沿って、かつまた好適には複数の製品が横糸方向に沿って同一のフラット・ストリップに編成される。ストリップの長手方向に沿って互いに平行に配置されるこれらの製品は、特にはブレードで製造される接合部分によって分離してもよい。
【００１５】
効果的には、複数の連続する平行セグメントは、各セグメントが複数の組み合わせられたブランクを備えて編まれる。
【００１６】
このようにして製造される製品は、特にブラジャーの場合、必要に応じて後に熱成形可能である。
【００１７】
ブラジャーの場合、カップのほぼ三角形状を有するステッチ・サイズの異なる部分を強度の不透明にし、おそらくは更に不透明で弱い補足縁で囲み、全体をごく僅かな不透明な背景にすることが効果的である。
【００１８】
三角形部分の底部は、補強された弾性糸を有する横方向部分と交差する。
【００１９】
同一のストリップ幅に沿ってより多くの製品を配置できるように、三角形部分は、横糸方向に、一方向へ次にもう一方の方向へ交互に組み合わせられて編成されることが効果的である。
【００２０】
また本発明は、本発明に係る方法によって編成される繊維製品自体に関し、言い換えれば、継目のない部品にステッチ・サイズの異なる部分と弾性糸が挿入された部分との交差部分を含む繊維製品自体に関する。これは、効果的にはブラジャーである。ある効果的な実施形態では、これは、カップ領域での不透明性が高く、おそらくは縁を更に高い不透明さでマーキングされたほぼ三角形部分を形成する、ステッチ・サイズの異なる部分と交差する弾性の異なる２つの横方向部分を備える。ある特に効果的な実施形態では、カップ部分の不透明さの強い部分、及び背景におけるカップ周辺の不透明さの低い部分は、カップ成形中のカップの延伸後、成形されたカップにおいて最終的に生じる不透明さが、隣接する非成形部品の不透明さと等しくなるように選定される。これは、カップの成形により透明過ぎる部分を生じさせることを防止する。
【００２１】
他の利点及び特徴は、添付の図面を参照する以下の説明を読めば明らかとなる。
【発明を実施するための最良の形態】
【００２２】
図１は、ジャカードラッシェル「Ｔｅｘｔｒｏｎｉｃ」（登録商標）型編機（図１では、縦糸の方向は水平方向である）で編成されたレースのフラット・ストリップ１の１つのセクションを示し、横糸の幅（例えば２７５ｃｍ）に渡って複数の同一セグメント２を備え、各々が上下に配置された２つのブラジャー・ブランクを形成し、例えば各セグメントは２５ｃｍの高さである。破線は、異なるステッチ・サイズによる編成の区分けから部分的に生じ、かつ異なる量及び異なる性質の弾性糸の使用による横方向の区分けによっても生じる、異なる部分の分離を示すために使用される。この場合、「横方向」とはストリップではなくセグメント１自体との関連を意味するものであり、セグメント及びブランクでの横方向の区分けは、実際には編機での長手方向に、言い換えれば縦糸の方向に沿って行われる。２つのゾーンは交差し、こうして異なる部分の数を増大させる。
【００２３】
連続するセグメントは、この場合はジグザグに縫われた横方向部分３によって区切られ、よってセグメントは切断により容易に分離可能である。横方向部分３は、他のレースと同様の方法で放物線状のスプリットで製造することも可能である。
【００２４】
弾性糸による横方向の区分けには、Ａ及びＢで各々識別される２つのタイプの横方向部分がある。部分Ａは、強い弾性張力を有する部分であり、すなわち多数の弾性糸の挿入、例えば二重のエラステーン（ｅｌａｓｔａｎｅ）（２×４７０ｄｔｅｘのＬｙｃｒａ（登録商標））を挿入することにより、材質に極めて弾力がある部分である。これらの糸は、セグメント２で重なり合う。部分Ｂは、例えば１本のエラステーン（ｅｌａｓｔａｎｅ）糸（１×４７０ｄｔｅｘのＬｙｃｒａ（登録商標））を挿入して得られるさほど弾力のない部分である。これらの部分Ｂは、セグメントＢの中央横方向部品を形成する。
【００２５】
異なるステッチ・サイズによる区分けに関し、不透明さを低減すべく本質的に異なるステッチ・サイズ及び不透明さを有する３つの部分ａ乃至ｃを備え、横糸の胸部アンダーワイヤには高い抵抗性を有し更に密度の高い編物に相当する部分αが続く。部分ａは、伸張性を著しく低減する、不透明さの極めて高い部分である。部分Ｂは、低い伸張性が得られる極めて不透明な部分である。部分ｃは非常に透明な部分であり、部分ｂより優れた伸張性を可能にする。これらの部分は、ブラジャー・ブランクにおける特定部分の機能として分布する。
【００２６】
図２に詳しく示すように、セグメント２は、基本的に胸部アンダーワイヤ４及び４’によって識別可能な複数の上下ブラジャー・ブランクと、カップを形成する三角形部分５及び５’とを含む。本図中央に示した１つのブランクの場合、２つの部分５は中央で隣接しかつ即座にブラジャーのフロント・パネルを形成する（続いて熱成形される）ことが可能であり、隣接するブランクは部分的にしか示されていないが同様のものである。三角形部分５及び５’は、上下に配置されてセグメントの全高を占めかつその高さのうち共通部分が重なる可能性があり、セグメントの残りは底部６によって占められる。三角形５、５’の２つの側面に形成される可能性のある部分ｄ２は、胸部を前向きに保持するために（通常は金属製アンダーワイヤ又は剛性のライニング繊維によって実行される機能）、胸部アンダーワイヤの部分αにおける編み密度に匹敵する編み密度を有する部分である。
【００２７】
胸部アンダーワイヤ４、４’は、特に二重のエラステーン（ｅｌａｓｔａｎｅ）糸を有する部分Ａであることから極めて密度及び弾性度の高いステッチの部分αから全体が製造される。
【００２８】
セグメントの底部６は十分透明であるゾーンｃのステッチから形成され、ブラジャーの柔軟性、弾性及び美しさを保証する。この底部は部分Ａ及びＢの交差によって異なる弾性を有する２つの部分に分離され、より弾性度の高い底部がブラジャーの底に位置決めされる。
【００２９】
各三角形部分５、５’は、最も不透明なステッチ・タイプａを有する三角形部分から構成され、その底は紐４に近接している。三角形部分ａの２つの側部は、不透明度が僅かに高い部分ｂのステッチと極めて不透明な部分ｄのステッチとから交互に形成される一連の縁によって囲まれる。カップの側部のこれらの異なるステッチ・サイズは、アンダーワイヤとして機能する。弾性が異なる横方向部分Ａ及びＢは、カップ部分を交差する。
【００３０】
効果的には、同じ横方向部分Ａ及びＢ内のカップの領域５、５’及び隣接する背景領域６の不透明さは、カップが成形される前は異なり、カップが成形された後は同様又は同一であるように選定される。このようにして、成形の間にカップに加えられる延伸及び変形に関わらず、カップの領域及び背景領域では同じ透明さに対してほぼ同じ不透明さが維持され得る。
【００３１】
これらの様々な部分の組合わせは、ブラジャーの紐及び封かん具を追加し、カップを熱成形した後に、図３に示すようなレースブラを製造する１つの手段である。このブラジャーは、非常に軽量であり、一体形成され、補強材であるアンダーワイヤ（肩紐とは別）を備えないにも関わらず、胸部をサポートする上で極めて効率的である。
【００３２】
当然ながら、これは１つのタイプのブラジャーに関する１つの可能な実施形態の一例に過ぎず、図示したものとは異った、これらの部分の他の組合わせ及び交差がなされ得ることは明白である。
【００３３】
次に図４を参照して、特に、上述のものよりその構造は単純であるが、満足感が得られるブラジャー・ブランクの好適な一実施形態について説明する。図４は、弾性張力が高いＡ及び弾性張力が低いＢの２つのタイプの横方向部分に含まれるセグメント２を示す。ステッチ・タイプが異なる部分は、まず、より密度の高いメッシュα及びより大きい側方抵抗を有する胸部アンダーワイヤ４及び４’であり、次には残り２つの緻密な編物、即ち編物ａ及び軽量編物ｂである。緻密な編物ａはカップを形成する部分５及び５’を占め、これらの部分５、５’は輪郭１０内の薄いクロスハッチングとして示され、部分５、５’の形状は、ほぼ、両端が切り取られた同一の三角形を２つ接着した形状、又は反転された台形の低い方の部分が取り付けられた底を有し、一方の端で接合された２つのより小さい三角形の形状である。軽量編物ｂは、セグメントの残り、特には底部６を占める。図２は、セグメント内に形成される各ブラジャー・ブランクのトレース１１を示す。このようにして描かれる各ブランクは、緻密なステッチａを有するカップの領域に、弾性が異なる２つの部分を含み、弾性が異なる２つの部分に横方向に分割されたことが分かる。軽量なステッチｂを有する部分４は当然ながら、カップ及び胸部アンダーワイヤの部分の外側にある。
【００３４】
当然ながらこのようなブラジャーには、本発明の範囲を逸脱することなく、接着部品、特に縁周りのエラストマ・コーティング等の多くの異なるタイプの仕上げを追加することができる。
【００３５】
また本発明の原理は、「平らな腹部」のボクサー・ショーツ（図４は、図１と同様に、組み合わせられたブランクのための製造用ストリップを示すが、部分の形状のみが異なる）及び「平らな腹部」のガードル（図５はブランクの製造に使用されるセグメント部分の詳細を示す）等の他の要素の製造にも適用可能である。
【図面の簡単な説明】
【００３６】
【図１】ステッチ・サイズが異なる部分及び弾性糸が異なる部分が交差した部分における、本発明に係る複数の編成されるブラジャーのブランクをその幅に含むフラット・ストリップの１つのセクションを示す図である。
【図２】上下に組み合わせられた２つのブラジャー・ブランクを有する、図１における編成されたストリップのセクションの１つのセグメントを詳細に示す図である。
【図３】図２におけるセグメント・ブランクのうちの１つで製造されたブラジャーを示す図である。
【図４】好適な一実施形態を示す、図２と同様の図である。
【図５】複数のボクサー・ショーツのブランクを含むフラット・ストリップを示す図である。
【図６】腹部ガードルを製造するための編成されたストリップの１つのセグメントを詳細に示す図である。
【図１】
2006519937.tif 000003
【図２】
2006519937.tif 000004
【図３】
2006519937.tif 000005
【図４】
2006519937.tif 000006
【図５】
2006519937.tif 000007
【図６】
2006519937.tif 000008
【国際調査報告】
2006519937.tif 000009
2006519937.tif 000010
2006519937.tif 000011
2006519937.tif 000012